(57)【要約】  Ｘ線セキュリティ検査システムにおいて物体を走査するための方法であって、Ｘ線セキュリティ検査システムは、放射線遮蔽カーテンを装備した入来トンネルと、Ｘ線区域と、放射線遮蔽カーテンを装備した外出トンネルとを備え、方法は、物体を、第１の速度で、および、連続する物体の間の第１の分離の大きさによって、入来トンネルを通して通過させるステップと、物体を、第２の速度で、および、連続する物体の間の第２の分離の大きさによって、Ｘ線区域を通して通過させるステップと、物体を、第３の速度で、および、連続する物体の間の分第３の分離の大きさによって、外出トンネルを通して通過させるステップとを含み、第２の速度は、第１の速度および第３の速度未満であり、連続する物体の間の第２の分離の大きさは、連続する物体の間の第１の分離の大きさ、および、連続する物体の間の第３の分離の大きさ未満である、方法。【選択図】図１１
2021503602.tif 000002
【特許請求の範囲】
【請求項１】
Ｘ線セキュリティ検査システムにおいて物体を走査するための方法であって、前記Ｘ線セキュリティ検査システムは、放射線遮蔽カーテンを装備した入来トンネルと、Ｘ線区域と、放射線遮蔽カーテンを装備した外出トンネルとを備え、前記方法は、
前記物体を、第１の速度で、および、連続する物体の間の第１の分離の大きさによって、前記入来トンネルを通して通過させるステップと、
前記物体を、第２の速度で、および、連続する物体の間の第２の分離の大きさによって、前記Ｘ線区域を通して通過させるステップと、
前記物体を、第３の速度で、および、連続する物体の間の第３の分離の大きさによって、前記外出トンネルを通して通過させるステップとを含み、
前記第２の速度は、前記第１の速度および前記第３の速度未満であり、連続する物体の間の前記第２の分離の大きさは、連続する物体の間の前記第１の分離の大きさ、および、連続する物体の間の前記第３の分離の大きさ未満である、方法。
【請求項２】
前記Ｘ線セキュリティ検査システムは、ＣＴセキュリティ検査システムを備える、請求項１に記載の方法。
【請求項３】
前記第２の速度は、容認可能な走査結果を可能にする最大速度である、請求項１に記載の方法。
【請求項４】
前記第２の速度は、１秒あたり１５ｃｍ以下である、請求項３に記載の方法。
【請求項５】
前記第１および第３の速度は、適正な数の放射線遮蔽カーテンが、連続する物体の間で前記放射線遮蔽カーテンの「完全に下がった」姿勢に戻るように垂れることを可能にする最大速度である、請求項１に記載の方法。
【請求項６】
前記第１および第３の速度は、１秒あたり２２〜２７ｃｍ以上である、請求項１に記載の方法。
【請求項７】
前記第１および第３の速度は、同じである、請求項１に記載の方法。
【請求項８】
前記第１および第３の速度は、互いに異なる、請求項１に記載の方法。
【請求項９】
前記放射線遮蔽カーテンは、鉛含有カーテンを備える、請求項１に記載の方法。
【請求項１０】
物体を走査するための装置であって、
放射線遮蔽カーテンを装備した入来トンネル、Ｘ線区域、および放射線遮蔽カーテンを装備した外出トンネルを備えるＸ線セキュリティ検査システムと、
前記物体を、第１の速度で、および、連続する物体の間の第１の分離の大きさによって、前記入来トンネルを通して通過させるための装置と、
前記物体を、第２の速度で、および、連続する物体の間の第２の分離の大きさによって、前記Ｘ線区域を通して通過させるための装置と、
前記物体を、第３の速度で、および、連続する物体の間の第３の分離の大きさによって、前記外出トンネルを通して通過させるための装置とを備え、
前記第２の速度は、前記第１の速度および前記第３の速度未満であり、連続する物体の間の前記第２の分離の大きさは、連続する物体の間の前記第１の分離の大きさ、および、連続する物体の間の前記第３の分離の大きさ未満である、装置。
【請求項１１】
前記Ｘ線セキュリティ検査システムは、ＣＴセキュリティ検査システムを備える、請求項１０に記載の装置。
【請求項１２】
前記第２の速度は、容認可能な走査結果を可能にする最大速度である、請求項１０に記載の装置。
【請求項１３】
前記第２の速度は、１秒あたり１５ｃｍ以下である、請求項１２に記載の装置。
【請求項１４】
前記第１および第３の速度は、適正な数の放射線遮蔽カーテンが、連続する物体の間で前記放射線遮蔽カーテンの「完全に下がった」姿勢に戻るように垂れることを可能にする最大速度である、請求項１０に記載の装置。
【請求項１５】
前記第１および第３の速度は、１秒あたり２２〜２７ｃｍ以上である、請求項１０に記載の方法。
【請求項１６】
前記第１および第３の速度は、同じである、請求項１０に記載の方法。
【請求項１７】
前記第１および第３の速度は、互いに異なる、請求項１０に記載の方法。
【請求項１８】
前記物体を、前記入来トンネルを通して通過させるための前記装置は、第１のコンベアベルトを備える、請求項１０に記載の装置。
【請求項１９】
前記物体を、前記Ｘ線区域を通して通過させるための前記装置は、第２のコンベアベルトを備える、請求項１０に記載の装置。
【請求項２０】
前記物体を、前記外出トンネルを通して通過させるための前記装置は、第３のコンベアベルトを備える、請求項１０に記載の装置。
【請求項２１】
前記物体を、前記入来トンネルを通して通過させるための前記装置は、一連の動力付きローラを備える、請求項１０に記載の装置。
【請求項２２】
前記物体を、前記Ｘ線区域を通して通過させるための前記装置は、一連の動力付きローラを備える、請求項１０に記載の装置。
【請求項２３】
前記物体を、前記外出トンネルを通して通過させるための前記装置は、一連の動力付きローラを備える、請求項１０に記載の装置。
【請求項２４】
前記放射線遮蔽カーテンは、鉛含有カーテンを備える、請求項１０に記載の装置。
【発明の詳細な説明】
【技術分野】
【０００１】
係属中の先行特許出願の参照
本特許出願は、ＣＯＭＰＵＴＥＤ  ＴＯＭＯＧＲＡＰＨＹ  （ＣＴ）  ＳＥＣＵＲＩＴＹ  ＩＮＳＰＥＣＴＩＯＮ  ＳＹＳＴＥＭ  ＷＩＴＨ  ＥＮＨＡＮＣＥＤ  Ｘ−ＲＡＹ  ＳＨＩＥＬＤＩＮＧに対する、Ｐｈｏｔｏ  Ｄｉａｇｎｏｓｔｉｃ  Ｓｙｓｔｅｍｓ，Ｉｎｃ．およびＢｅｒｎａｒｄ  Ｍ．Ｇｏｒｄｏｎらにより２０１７年１１月１７日に出願された係属中の先行米国仮特許出願第６２／５８７，７９８号（代理人整理番号ＰＤＳＩ−５  ＰＲＯＶ）の利益を主張するものであり、その特許出願は、ここに、参照により本明細書に組み込まれている。
【０００２】
本発明は、一般的にはＸ線セキュリティ検査システムに関し、より詳細には、高められたＸ線遮蔽を伴うコンピュータ断層撮影（ＣＴ）セキュリティ検査システムに関する。
【背景技術】
【０００３】
Ｘ線セキュリティ検査システムは、爆発物および他の密輸品を追い求めて、手荷物および他の容器を走査するために、空港および他のセキュリティに敏感な場所において広く使用される。これらのＸ線セキュリティ検査システムは、典型的には、約１６０，０００ボルト（すなわち、１６０ｋＶ）で低い電力（例えば、２ｍＡ）で作動する、１つ（または数個）の固定された（すなわち、定置の）Ｘ線源を有する。かばんまたは容器（典型的には、トレー内に積まれる）が、コンベアベルト上で、固定されたＸ線源のそばを通り過ぎるように移動させられる。
【０００４】
Ｘ線が、コンベアベルト上でＸ線源のそばを通過するかばんまたは他の容器に当たるとき、適度な量の散乱Ｘ線が、精査中のかばんまたは他の容器から放出される。これらの散乱Ｘ線のうちの一部は、固定されたＸ線源のそばを通り過ぎるようにかばんまたは容器を移動させているコンベアベルトの、入来または外出区分の方向で反射させられる。Ｘ線セキュリティ検査システムへの入口（すなわち、コンベアベルトの入来区分を内に含む「入来トンネル」）の付近に、または、Ｘ線セキュリティ検査システムの出口（すなわち、コンベアベルトの外出区分を内に含む「外出トンネル」）の付近にいることがある人間へのＸ線露光を回避するために、いくつかの鉛含有カーテン（例えば、３つから６つのカーテン）が、今までは、トンネルの各々内に（すなわち、入来および外出トンネルの各々内に）配置されていた。
【０００５】
これらのより古いＸ線セキュリティ検査システムにおいて、かばんまたは他の容器を含むトレー（時にはビンとも呼ばれる）に対する典型的なスループット率は、一般的には、１時間あたり２００（または、多くて３００）トレーの範囲内であった。それゆえに、鉛含有カーテンが布置された入来および外出トンネルを通るトレーの通過のこれらの低い率で、トレーは、トレーの間の適切な間隔によって、およびゆえに、かばんまたは他の容器を含むトレーが走査される間の、カーテンが押し上げられ、次いで戻るように下がって垂れるための適切な時間によって、その相対的に低い数のカーテンを通って移動することができた。
【０００６】
そのため、要約すると、低いＸ線電力および低いトレースループットの組合せを必然として含んだ、より古いＸ線セキュリティ検査システムによって、程々の数の鉛含有カーテンが、トレーにより搬送されるかばんまたは他の容器から、入来および外出トンネル内へと放出されていた、適度な量の散乱Ｘ線を適切に減衰させることができた。
【０００７】
しかしながら、ここ数年にわたって、これらのより古いＸ線セキュリティ検査システムの有効性が甚だ不適切であるということが、空港セキュリティに責任を負う人々には明白になった。それに応じて、いくつかの会社が、コンピュータ断層撮影（ＣＴ）セキュリティ検査システムの設計を始めた。そのようなＣＴセキュリティ検査システムは、１時間あたり約６００トレー（すなわち、１時間あたり６００のかばんまたは他の容器）のスループット率を有することを意図される。多くのＸ線投影（例えば、ＣＴ機械の１回転あたり１，０００以上の投影）を行う、これらのＣＴセキュリティ検査システムは、必然的に、より高い電力Ｘ線、典型的には１６０ｋＶで５〜８ｍＡを使用し、さらにまた、約２４列の投影を同時に使用する。結果として、ＣＴセキュリティ検査システムからの散乱Ｘ線の電力は、より古いＸ線セキュリティ検査システムからの散乱Ｘ線の電力よりほとんど１００倍大であり、実際的な解決策が、ＣＴセキュリティ検査システムの入来および外出トンネルから発出する散乱Ｘ線を低減するために、見出されることを必要とするということが明確になっている。
【０００８】
初期には、この問題は、より多くの鉛含有カーテンを、ＣＴセキュリティ検査システムの入来および外出トンネルにおいて単純に追加することにより解決され得るように思われた。しかしながら、これは事実ではない。問題の重大さを理解するために、ＣＴセキュリティ検査システムは、より古いＸ線セキュリティ検査システムよりおおよそ１００倍多い散乱Ｘ線を生み出すので、約３００：１の以前の要件ではなく、３０，０００：１の因子により、入来および外出トンネルから発出する散乱Ｘ線のレベルを低減することが必要であるということを考えてみる。０．５ｍｍ鉛厚さの鉛当量を伴うカーテンは、約５．５：１の因子により、散乱Ｘ線を減衰させるということに留意されたい。４つのカーテンに対して、この因子は４乗され、そのことは、より古いＸ線セキュリティ検査システムに対する十分な減衰より多い、約９１５：１の減衰を結果的に生じさせる。すなわち、より古いＸ線セキュリティ検査システムの入来および外出トンネルを適切に遮蔽するために、０．５ｍｍ鉛当量の４つのカーテンのみが入用であったが、ＣＴセキュリティ検査システムにより要される３０，０００：１の減衰を生み出すために、「完全に下がった」少なくとも６つのそのようなカーテンが入用である。さらにまた、トレーがほとんど常にカーテンのうちの一部の下に配される（および、それらの一部を押し退けている）、ＣＴセキュリティ検査システムの高いスループット速度で、任意の所与の時間において少なくとも６つの「完全に下がった」カーテンをもたらすために、６つより多い設置されるカーテンが入用である。しかしながら、このより大きい数の鉛含有カーテンが、ＣＴセキュリティ検査システムの入来および外出トンネルにおいて設置されるならば、鉛含有カーテンは、互いに、より接近していなければならず（なぜならば、入来および外出トンネルの長さは、一般的には、ＣＴセキュリティ検査システムに対して利用可能な空間により、厳しく制約されるからである）、このことは、（ｉ）トレーは、より多くのカーテンを持ち上げるために、より強く押されなければならないということ、および、（ｉｉ）カーテンは、少なくとも追加的な３０ｃｍほどより幾分大である距離（この距離は、トレー、および、トレー内に積まれるかばんまたは容器の高さ、その他の関数である）だけ、トレー全体がカーテンのそばを通過した後まで、カーテンが「完全に下がった」様態に至らないということの、二重の問題を引き起こす。そのため、より多くのカーテンを単純に追加することは、ＣＴセキュリティ検査システムのより高いスループット率に対して全くうまくいかない。
【０００９】
どのように鉛含有カーテンが、ＣＴセキュリティ検査システムのより高いスループット率で「完全に下がった」様態に至らないかを例解する、図１〜５を確認されたい。
【００１０】
より詳しくは、図１〜５は、例示的な従来技術ＣＴセキュリティ検査システム５を示す。ＣＴセキュリティ検査システム５は、一般的には、多列Ｘ線２０を生み出す回転焦点スポット１５を有するＣＴ機械１０を備える。入来および外出トンネル２５、３０は、トレー４０（かばんまたは容器を内に含む）を、ＣＴ機械１０の回転焦点スポット１５のそばを通り過ぎるように移動させるためのコンベアベルト３５に対する入口および出口を提供する。鉛含有カーテン４５が、入来および外出トンネル２５、３０内に配される。
【００１１】
１時間あたり６００トレー（すなわち、６秒ごとに１つのトレー）のスループット率によって、および、コンベアベルト３５が１秒あたり１５ｃｍ（ＣＴ機械１０からの要される画像品質を可能にするための典型的な速度）で移動することによって、１つのトレーが、６秒ごとにコンベアベルトに沿って通過する。各々のトレーが６０ｃｍの長さを有する場合、このことは、Ｘ線コンベアベルト上のトレーの間に３０ｃｍ間隔が存するということを意味する（すなわち、１秒あたり１５ｃｍのベルト速度、および、６秒ごとに１つのトレーは、トレーの間の９０ｃｍに等しく、各々のトレーは６０ｃｍの長さを有し、このことは、トレーの間の３０ｃｍ間隔を生む）。しかしながら、１秒あたり１５ｃｍで移動するベルト上で流れるトレーの間の３０ｃｍのみの間隔によって、押し退けられた鉛含有カーテンが、トレーの間でそのカーテンの「完全に下がった」姿勢に戻るように下がって至るのには不充分な時間が存する。かくして、１時間あたり６００トレーのスループット率によって、および、１秒あたり１５ｃｍのコンベアベルト速度によって、ＣＴセキュリティ検査システムの鉛含有カーテンは、ＣＴセキュリティ検査システムの入来および外出トンネルを通過する散乱Ｘ線を適切に遮蔽することができない。この問題点は、下記でより詳細に論考される。
【００１２】
ＣＴセキュリティ検査システムの入来および外出トンネルを抜け出るＸ線を減衰させるために提案された別の手法は、鉛含有カーテンがはるかに遠く離れて隔置され得るように、入来および外出トンネルをはるかに長くすることであった。理論的には、この手法は、カーテンに、連続するトレーの間で「完全に下がった」様態に至るための時間を与えることがあるが、実際には、その手法は、入来および外出トンネルに、空港および他のセキュリティに敏感な場所において存在する空間制約により、一般的に可能とされるより、過度に長いことを要求する。
【００１３】
ＣＴセキュリティ検査システムの入来および外出トンネルを抜け出るＸ線を減衰させるための別の手法は、米国特許出願公報第ＵＳ２０１６／０３７２２２３  Ａ１号において説明されている。米国特許出願公報第ＵＳ２０１６／０３７２２２３  Ａ１号の手法は、連続するトレーの間で回転カーテンを使用する。しかしながら、実際には、この手法はうまくいかず、なぜならば、回転カーテンは、到着トレーの間で迅速に下がった様態に至るために、トレー移動と精密に同期されることを必要とするからである。さらにまた、この手法は、より新しいＣＴセキュリティ検査システムの、より高い所望されるスループット率ではうまくいかず、なぜならば、Ｘ線減衰の要されるレベルをもたらすのに十分なカーテンを、トレーの間で完全に下がった様態にすることは困難であるからである。
【００１４】
なおも別の提案された手法は、連続するトレーの間で急速に上がり下がりする巻き枠上の複数個のカーテンを設けることであった。カーテンを十分に高速に上がり下がりさせるために必要とされる、工学的技術の複雑さおよび電力要件の他に、そのような手法は、過度にコスト高であり、各々の入来および外出トンネルにおいて相当の費用を追加する。
【００１５】
さらに別の提案された手法は、入来トンネルを短い時間の間開放し、トレーを走査のために急速に押し入れ、外出トンネルにおいて工程を逆にし、次いで、工程を次のトレーに対して繰り返すことになる、込み入った仕組みを作り上げることであった。理論的には可能であるが、そのような込み入ったシステムにより要される困難さ、信頼性、および電力は、非実際的であることが見出されている。
【００１６】
さらに別の手法は、所与の所望されるスループット率に対して、システムを通るコンベアベルト速度を相当に昇速させることであり得る。この手法は、トレーが、連続するトレーの間に、より多くの空間を伴って、システムをより高速に通って進むことを可能とすることになり、そのことによって、入来および外出トンネル内の鉛含有カーテンは、連続するトレーの間で下がった様態に至るための時間を有することになる。しかしながら、このより高いスループット速度で同じ画像品質を得ることは、比例してより高い電力Ｘ線源、または代替的に、相当により大きい数の検出器列、または両方を要し、そのことは、ＣＴスキャナのＸ線源を支持する架台の回転率（回転速度）を昇速させることを要する。かくして、この手法は、コストを相当に増し、システムに対する電力要件を増大する（そのことは、ＣＴセキュリティ検査システムが設置されなければならない、空港および他のセキュリティに敏感な場所において、一般的には利用可能ではない）。
【発明の概要】
【発明が解決しようとする課題】
【００１７】
かくして、高められたＸ線遮蔽を伴う、新しい、および改善された、コンピュータ断層撮影（ＣＴ）セキュリティ検査システムに対する必要性が存する。
【課題を解決するための手段】
【００１８】
本発明は、高められたＸ線遮蔽を伴う、新しい、および改善された、コンピュータ断層撮影（ＣＴ）セキュリティ検査システムの、提供および使用を含む。
【００１９】
本発明の１つの好まれる形式において、Ｘ線セキュリティ検査システムにおいて物体を走査するための方法であって、Ｘ線セキュリティ検査システムは、放射線遮蔽カーテンを装備した入来トンネルと、Ｘ線区域と、放射線遮蔽カーテンを装備した外出トンネルとを備え、
物体を、第１の速度で、および、連続する物体の間の第１の分離の大きさによって、入来トンネルを通して通過させるステップと、
物体を、第２の速度で、および、連続する物体の間の第２の分離の大きさによって、Ｘ線区域を通して通過させるステップと、
物体を、第３の速度で、および、連続する物体の間の第３の分離の大きさによって、外出トンネルを通して通過させるステップとを含み、
第２の速度は、第１の速度および第３の速度未満であり、連続する物体の間の第２の分離の大きさは、連続する物体の間の第１の分離の大きさ、および、連続する物体の間の第３の分離の大きさ未満である、方法が提供される。
【００２０】
本発明の別の好まれる形式において、物体を走査するための装置であって、
放射線遮蔽を装備した入来トンネル、Ｘ線区域、および放射線遮蔽カーテンを装備した外出トンネルを備えるＸ線セキュリティ検査システムと、
物体を、第１の速度で、および、連続する物体の間の第１の分離の大きさによって、入来トンネルを通して通過させるための装置と、
物体を、第２の速度で、および、連続する物体の間の第２の分離の大きさによって、Ｘ線区域を通して通過させるための装置と、
物体を、第３の速度で、および、連続する物体の間の第３の分離の大きさによって、外出トンネルを通して通過させるための装置とを備え、
第２の速度は、第１の速度および第３の速度未満であり、連続する物体の間の第２の分離の大きさは、連続する物体の間の第１の分離の大きさ、および、連続する物体の間の第３の分離の大きさ未満である、装置が提供される。
【００２１】
本発明のこれらおよび他の目的および特徴は、同様の番号が同様の部分を指す、添付図面と一体で考察されることになる、本発明の好まれる実施形態の、後に続く詳細な説明により、より完全に開示される、または明白にされることになる。
【図面の簡単な説明】
【００２２】
【図１】どのように従来技術ＣＴセキュリティ検査システムが、適切なＸ線遮蔽をもたらすのに充分な数の鉛含有カーテンが、入来および外出トンネル内で、それらのカーテンの「完全に下がった」姿勢に至ることを可能としないかを示す概略図である。
【図２】どのように従来技術ＣＴセキュリティ検査システムが、適切なＸ線遮蔽をもたらすのに充分な数の鉛含有カーテンが、入来および外出トンネル内で、それらのカーテンの「完全に下がった」姿勢に至ることを可能としないかを示す概略図である。
【図３】どのように従来技術ＣＴセキュリティ検査システムが、適切なＸ線遮蔽をもたらすのに充分な数の鉛含有カーテンが、入来および外出トンネル内で、それらのカーテンの「完全に下がった」姿勢に至ることを可能としないかを示す概略図である。
【図４】どのように従来技術ＣＴセキュリティ検査システムが、適切なＸ線遮蔽をもたらすのに充分な数の鉛含有カーテンが、入来および外出トンネル内で、それらのカーテンの「完全に下がった」姿勢に至ることを可能としないかを示す概略図である。
【図５】どのように従来技術ＣＴセキュリティ検査システムが、適切なＸ線遮蔽をもたらすのに充分な数の鉛含有カーテンが、入来および外出トンネル内で、それらのカーテンの「完全に下がった」姿勢に至ることを可能としないかを示す概略図である。
【図６】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【図７】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【図８】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【図９】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【図１０】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【図１１】どのように本発明が、ＣＴセキュリティ検査システムに対する適切なＸ線遮蔽をもたらすのに充分な数の鉛含有カーテンが、入来および外出トンネル内で、それらのカーテンの「完全に下がった」姿勢に至ることを可能にするかを示す概略図である。
【発明を実施するための形態】
【００２３】
本発明は、高められたＸ線遮蔽を伴う、新しい、および改善された、コンピュータ断層撮影（ＣＴ）セキュリティ検査システムの、提供および使用を含む。
【００２４】
より詳しくは、従来技術コンピュータ断層撮影（ＣＴ）セキュリティ検査システムと関連付けられるＸ線遮蔽問題をさらに理解するために、および、本発明により提供されるこの問題に対する新規の解決策を完全に把握するために、米国においての標準トレー長さは、約６０ｃｍ（約２フィート）であり、欧州において、標準トレー長さは、約７０ｃｍであるということが、最初に認識されるべきである。現実の例として、ＣＴセキュリティ検査システムを１時間あたり６００トレーで動作させることが、一般的には所望される。これは、６秒ごとに１つのトレーである。次いで、１時間あたり６００トレーで、連続するトレーの間の距離は、様々なコンベア速度に対して、後に続くようになる。
【００２５】
【表１】
2021503602.tif 000003
【００２６】
コンベア速度は、実際的な意味で、要因、すなわち、Ｘ線電力、ＣＴ回転速度、コンベア動きの方向での検出器対象範囲、およびシステムピッチ（コンベア動きの方向での検出器の有効長さにより除算される、Ｘ線源を内に含む架台の１回転あたりの、吟味中のトレーの前進の比と定義される）の組合せにより制限されるということが、さらに認識されるべきである。実際には、Ｘ線電力は、一般的には、空港内のセキュリティ場所において利用可能な電力により制限され、回転速度は、一般的には、機器の許容可能なｇ力、および、架台を回転させるために利用可能な電力により制限され、検出器長さは、コストにより制限され、ピッチは、結果としての画像品質により制限される。
【００２７】
前述の制限を考慮に入れると、実際には、ＣＴ機械を通るコンベア速度は、容認可能な画像品質を達成するために、１秒あたり約１５ｃｍに制限される。１秒あたり１５ｃｍのコンベア速度（１時間あたり６００トレーのシステムスループットを伴う）は、連続するトレーの開始の間の９０ｃｍのトレー間隔を生む（すなわち、１秒あたり１５ｃｍ移動するコンベアベルト上での、６秒ごとに１つのトレーは、連続するトレーの開始の間の９０ｃｍのトレー間隔を生む）。このことは、３０ｃｍ（９０ｃｍ−６０ｃｍ＝３０ｃｍ）の米国においてのトレーの間の間隔、および、２０ｃｍ（９０ｃｍ−７０ｃｍ＝２０ｃｍ）の欧州においてのトレーの間の間隔を含意する。初期には、適切なＸ線遮蔽をもたらすのに十分なカーテンを、トレーの間の空間において下がった様態に至らせることにより、入来および外出トンネルにおいての適切なＸ線遮蔽をもたらすことが可能であり得るということが期待されたが、このことは、事実であるとは判明しておらず、なぜならば、トレー（その内容物を伴う）がカーテンを押し上げるとき、そのカーテンは、トレーが、カーテンが垂れ下がる地点を３０ｃｍより多く越えて移動してしまうまで、そのカーテンの「完全に下がった」姿勢に戻るように至らないからである。図１〜５、および、「背景技術」と題を付けられた節においての上記の論考を確認されたい。
【００２８】
かくして、トレーの長さに、カーテンがそのカーテンの「完全に下がった」姿勢に戻るように至るために要される追加的な距離を加算した長さに等しい値（等価トレー長さ（Ｅｑｕｉｖａｌｅｎｔ  Ｔｒａｙ  Ｌｅｎｇｔｈ）、すなわちＥＴＬ）が定義され得る。実際には、１時間あたり６００トレーのスループット率で、ＥＴＬは、トレー長さ（例えば６０ｃｍ）、プラス、３０ｃｍより多い距離の総和、すなわち、９０ｃｍより大である距離である。
【００２９】
別の言い方をすれば、６秒ごとに１つのトレーの率での（すなわち、１時間あたり６００トレーのスループットに対する）投入コンベアベルト上にトレーが配置されているときに、鉛含有カーテンが、連続するトレーの間でそれらのカーテンの「完全に下がった」姿勢に至るのに充分な間隙が、連続するトレーの間に存するために、投入コンベアベルトは、１秒あたり１５ｃｍより相当に高速に移動しなければならない。
【００３０】
このことは、何が従来技術ＣＴセキュリティ検査システムに関する問題であったかの理解をもたらすものであり、１時間に６００トレーで、１秒あたり１５ｃｍのベルト速度で作動すると、鉛含有カーテンは、トレーの間でそれらのカーテンの「完全に下がった」姿勢に戻るように至るのに十分な時間を決して有さない。それどころか、単一のカーテンでさえ、１５ｃｍで移動するトレーにより、上に持ち上げられる後に、そのカーテンの「完全に下がった」姿勢に戻るように至ることは決してできず、なぜならば、後に続くトレーが、ちょうどカーテンがそのカーテンの「完全に下がった」姿勢に達しようとしている際に、カーテンと係わり合うからである。それゆえに、１秒あたり１５ｃｍのコンベアベルト速度によって、１時間に６００トレーで作動する、従来技術ＣＴセキュリティ検査システムに関して、必要なＸ線減衰をもたらすことは可能でない。
【００３１】
本発明は、先に列挙され、上で論考された理由のために、各々のシステムに対して、トレーがシステムのＸ線局所を通って進むことができるという率の上限が存するということを認識し、本発明は、連続するトレーの間の間隔が等価トレー長さ（ＥＴＬ）未満であるような速度で、トレーが入来および外出トンネルを通って進むことはできないということを認識する。換言すれば、本発明は、トレーが、１秒あたり１５ｃｍより高速でシステムのＸ線局所を通って進むことはできないということを認識し、本発明は、９０ｃｍより大である距離である等価トレー長さ（ＥＴＬ）未満である、連続するトレーの間の間隔をもたらす速度で、トレーが入来および外出トンネルを通って進むことはできないということを認識する。
【００３２】
本発明は、高速度ＣＴセキュリティ検査システムを提供することにより、新規の手立てでこれらの問題点に対処するものであり、そのシステムは、トレーを、それらのトレーがシステムのＸ線部分を通して移動させられるより相当に高速な速度で、入来および外出トンネルを通して移動させて、そのことにより、適切な走査画像品質をもたらし、一方でさらには、高められたＸ線遮蔽を可能にする。本発明の好まれる形式において、このことは、３つの別個のコンベアベルト（すなわち、入来トンネルを通る１つ、外出トンネルを通る１つ、および、システムのＸ線部分を通る１つ）を設けること、ならびに、入来および外出コンベアベルトを、システムのＸ線部分を通るコンベアベルトの速度（rate of speed）より高い速度（rate of speed）で動作させることにより達成される。
【００３３】
より詳しくは、本発明の好まれる形式において、入来および外出コンベアベルトの速度は、鉛含有カーテンに、連続するトレーの間でそれらのカーテンの「完全に下がった」姿勢に戻るように至るための時間を配分するために、連続するトレーの間の適切な間隔をもたらすのに十分に高くセットされ、システムのＸ線部分を通るコンベアベルトの速度は、要される画像品質が達成されることを可能にするのに十分に低くセットされる。さらにまた、入来および外出コンベアベルトの速度は、所望されるスループット率でのトレーの継続的な流れをもたらすように、システムのＸ線部分を通るコンベアベルトの速度と調和させられる。
【００３４】
例として、ただし制限としてではなく、システムのスループット率が１時間あたり６００トレー（すなわち、６秒ごとに１つのトレー）である場合、１秒あたり１５ｃｍのＸ線コンベアベルト速度（要される画像品質を可能にするための典型的な速度）によって、１つのトレーが、６秒ごとにＸ線コンベアベルトに沿って通過し、そのことは、Ｘ線コンベアベルト上のトレーの間に３０ｃｍ間隔が存するということを意味する（すなわち、１秒あたり１５ｃｍのベルト速度、および、６秒ごとに１つのトレーは、トレーの間の９０ｃｍに等しく、各々のトレーは６０ｃｍの長さを有し、このことは、トレーの間の３０ｃｍ間隔を生む）。
【００３５】
鉛含有カーテンの間の間隔を決定する、入来および外出トンネルに対して可能とされる長さ（公称的には、各々９１．４４〜１５２．４ｃｍ（３〜５フィート））に依存して、入来トンネル内のコンベアベルト速度、および、外出トンネル内のコンベアベルト速度は、１秒あたり２２ｃｍの近傍にあり得るものであり、そのことは、入来および外出コンベアベルト上のトレーの間に７２ｃｍ間隙が存するということを意味する（すなわち、１秒あたり２２ｃｍのベルト速度、および、６秒ごとに１つのトレーは、トレーの間の１３２ｃｍに等しく、各々のトレーは６０ｃｍの長さを有し、このことは、トレーの間の７２ｃｍ間隔を生む）。この間隔は、到着および外出トンネル内の鉛含有カーテンが、トレーの間でそれらのカーテンの「完全に下がった」姿勢に戻るように至ることを可能とする。
【００３６】
かくして、本発明によって、入来および外出コンベアベルトは、システムのＸ線部分を通るコンベアベルトの速度より高い速度で作動し、入来および外出トンネル内のトレーの間の間隔は、システムの走査部分内のトレーの間の間隔より大である。
【００３７】
鉛含有カーテンの間の分布は、鉛当量が、平均して、それらのカーテンの「完全に下がった」姿勢において、６つの０．５ｍｍ鉛当量カーテンのものである限りにおいて、入来および外出トンネルの現実の長さに依存して、最適に隔置され得る。１つの例として、入来および外出トンネルに対する総合的な利用可能なトンネル長さが約１２１．９または１５２．４ｃｍ（約４または５フィート）であるならば、各々のトンネル内に、適正に隔置された、５つまたは６つの０．５ｍｍ鉛当量カーテンが存し得る。
【００３８】
そのため、問題に対する創造的解決策は、トレーを、第１の速度（例えば、１秒あたり２２〜２７ｃｍ）で入来トンネルを通して移動させ、次いで、それらのトレーがＸ線走査部分を通って移動する際に、第２の、より遅い速度（例えば、１秒あたり１５ｃｍ）に減速させ、次いで、第２の速度より高い第３の速度（例えば、１秒あたり２２〜２７ｃｍ）で外出トンネルを通して移動させることである。
【００３９】
入来コンベアベルトの速度（および、入来コンベアベルト上の連続するトレーの間の間隔）は、外出コンベアベルトの速度（および、外出コンベアベルト上の連続するトレーの間の間隔）と同じであることがあるが、必ずしも同じではないということに留意されたい。実際には、それらは、異なる速度（および、連続するトレーの間の異なる間隔）を有することがある。要されることは、（ｉ）外出コンベアベルトのスループットは、入来コンベアベルトのスループットに等しくなければならない（ならびに、入来および外出コンベアベルトのスループットは、走査コンベアベルトのスループットに等しくなければならない）、（ｉｉ）入来および外出コンベアベルトの速度は、適切な数の鉛含有カーテンが、連続するトレーの間でそれらのカーテンの「完全に下がった」姿勢に戻るように垂れることを可能にするのに十分に高くなければならない、ならびに、（ｉｉｉ）走査部分を通るコンベアベルトの速度は、適切な画像品質を可能にするのに十分に低くなければならない、ということである。
【００４０】
本発明の１つの好まれる形式において、および、今から図６〜１１を熟視すると、本発明によって形成される新規のＣＴセキュリティ検査システム１０５が提供される。ＣＴセキュリティ検査システム１０５は、一般的には、多列Ｘ線１２０を生み出す回転焦点スポット１１５を有するＣＴ機械１１０を備える。入来および外出トンネル１２５、１３０は、ＣＴ機械１１０の走査領域へのアクセスを提供する。入来コンベアベルト１３５Ａ、走査コンベアベルト１３５Ｂ、および外出コンベアベルト１３５Ｃは、トレー１４０（かばんまたは容器を内に含む）を、入来トンネル１２５を通して、ＣＴ機械１１０の回転焦点スポット１１５のそばを通り過ぎるように、および、外出トンネル１３０から外に、移動させるように働く。鉛含有カーテン１４５が、入来および外出トンネル１２５、１３０内に配される。
【００４１】
本発明によれば、入来コンベアベルト１３５Ａは、トレー１４０を、第１の速度（例えば、１秒あたり２２〜２７ｃｍ）で、入来トンネル１２５を通して移動させ、走査コンベアベルト１３５Ｂは、トレー１４０を、第２の、より遅い速度（例えば、１秒あたり１５ｃｍ）で、ＣＴ機械１１０のＸ線走査部分を通して移動させ、外出コンベアベルト１３５Ｃは、トレー１４０を、第２の速度より高い第３の速度（例えば、１秒あたり２２〜２７ｃｍ）で、外出トンネル１３０を通して移動させる。入来コンベアベルト１３５Ａおよび外出コンベアベルト１３５Ｃそれぞれの、第１および第３の速度は、近接するトレー１４０の間の適切な間隔をもたらし、そのことにより、適切な数の鉛含有カーテン１４５が、連続するトレー１４０の間でそれらのカーテンの「完全に下がった」姿勢に復帰することを可能にするのに十分に高い。走査コンベアベルト１３５Ｂの第２の速度は、適切な画像品質を可能にするのに十分に低い。
【００４２】
所望されるならば、新規のＣＴセキュリティ検査システムの鉛含有カーテンは、他のＸ線障壁材料、例えばタングステン、バリウム、その他を利用する放射線遮蔽カーテンにより置き換えられてもよい。
【００４３】
ならびに、所望されるならば、入来コンベアベルト１３５Ａ、走査コンベアベルト１３５Ｂ、および／または外出コンベアベルト１３５Ｃは、物体（例えば、かばんまたは容器を内に含むトレー）を、新規のＣＴセキュリティ検査システムを通して移動させるための他の装置により置き換えられてもよい。例として、ただし制限としてではなく、入来コンベアベルト１３５Ａ、走査コンベアベルト１３５Ｂ、および／または外出コンベアベルト１３５Ｃは、一連の動力付きローラ（ｐｏｗｅｒｅｄ  ｒｏｌｌｅｒ）、その他を備える細道により置き換えられてもよい。
【００４４】
前述に加えて、本発明は、好ましくは、トレー（または、試験中の、他のそのような実体）が、鉛含有カーテンをより容易に上に持ち上げることをより容易にする特徴を組み込む。これらの特徴は、後に続くことのうちの１つまたは複数を含み得る：（ｉ）１つまたは複数の可撓性ヒンジを、各々の鉛含有カーテンの上部に、または、垂直にそのカーテンの中に置くこと、（ｉｉ）鉛含有カーテン（または、鉛含有カーテンの垂直下位構成要素）を適正に互い違いにすること、ならびに、（ｉｉｉ）鉛含有カーテンの、それらのカーテンの間隔または層状分布重み付けなどの、組合せおよびパターンを最適に変動させること。
【００４５】
好まれる実施形態の修正
本発明の本質を解説するために本明細書において説明および例解された、詳細、材料、ステップ、および、部品の配置構成においての多くの追加的な変更が、それでもなお本発明の原理および範囲の中にとどまりながら、当業者により行われ得るということが理解されるべきである。
【図１】
2021503602.tif 000004
【図２】
2021503602.tif 000005
【図３】
2021503602.tif 000006
【図４】
2021503602.tif 000007
【図５】
2021503602.tif 000008
【図６】
2021503602.tif 000009
【図７】
2021503602.tif 000010
【図８】
2021503602.tif 000011
【図９】
2021503602.tif 000012
【図１０】
2021503602.tif 000013
【図１１】
2021503602.tif 000014
【国際調査報告】
2021503602.tif 000015